(57)【要約】【課題】  首掛け部に設けた表示片が破損しにくく、表示の効果に優れる首掛け表示体を提供する。【解決手段】  容器１の首部２に通す首掛け用孔１５を有する首掛け部１１と、前記首掛け用孔１５の周縁１５ａに位置する基部１６から突出した表示片１７とを備えた首掛け表示体１０であって、前記首掛け部１１は１枚のシートまたは複数枚のシート１１ｂ，１１ｃの積層体からなり、前記表示片１７は前記首掛け用孔１５を通して前記首掛け部１１から引き出されており、少なくとも１枚のシート１１ｂが表示片１７を引き出した側から表示片１７の基部１６に重ねられている首掛け表示体１０を用いる。この首掛け表示体１０に首掛け部１１から延設した延長部１９を設け、この延長部１９を首掛け部１１から折り曲げて容器１の胴部３側に垂下自在に構成することもできる。【選択図】  図１
2006215446.tif 000002
【特許請求の範囲】
【請求項１】
容器の首部に通す首掛け用孔を有する首掛け部と、前記首掛け用孔の周縁に臨んで位置する基部から突出した表示片とを備えた首掛け表示体であって、
前記首掛け部は１枚のシートまたは複数枚のシートの積層体からなり、前記表示片は前記首掛け用孔を通して前記首掛け部から引き出されており、少なくとも１枚のシートが前記表示片を引き出した側から前記表示片の基部に重ねられていることを特徴とする首掛け表示体。
【請求項２】
前記首掛け部は複数枚のシートの積層体からなり、前記表示片の基部は前記首掛け部のいずれかのシートに設けられており、前記表示片は前記基部を有するシートの首掛け用孔の内部に形成されていることを特徴とする請求項１に記載の首掛け表示体。
【請求項３】
前記首掛け部は二つ折りに折り重ねられた表裏２枚のシートからなり、前記表示片は、前記首掛け部の一方のシートの首掛け用孔の内部に形成されるとともに、前記一方のシートから折り曲げられ、他方のシートの首掛け用孔に挿通されて前記一方のシートの反対側に引き出されていることを特徴とする請求項１または２に記載の首掛け表示体。
【請求項４】
前記首掛け表示体は首掛け部から延設された延長部を備え、前記延長部は前記首掛け部から折り曲げられて首掛け表示体が装着される容器の胴部側に垂下自在とされていることを特徴とする請求項１ないし３のいずれかに記載の首掛け表示体。
【請求項５】
前記延長部は折り重ねられた複数枚のシートからなることを特徴とする請求項４に記載の首掛け表示体。
【請求項６】
前記延長部は二つ折りに折り重ねられた表裏２枚のシートからなり、前記表裏２枚のシートの間に中間シートが介装され、前記表裏２枚のシートと前記中間シートとが同じ側の辺で綴じ合わされて冊子の形態をとっていることを特徴とする請求項５に記載の首掛け表示体。
【発明の詳細な説明】
【技術分野】
【０００１】
本発明は、ボトル等の容器の首部に掛ける首掛け表示体に関する。
【背景技術】
【０００２】
従来、広告宣伝や関連情報の表示などを目的として、容器の首部に首掛け表示体を掛け、製品の容器表面に施された表示等を補うことがある。この種の首掛け表示体は、廃棄性やコストの点から通常は一枚の紙からなり、情報等を記載したり景品等を添付するための表示部と、該表示部から延設された首掛け部とを備え、首掛け部に形成した首掛け用孔に容器の首部を通すことで容器に装着され、表示部は容器の胴部前面側に垂れ下がるようになっている。
【０００３】
また、首掛け表示体の表示機能を拡大するため、首掛け部から表示片を上方に折り曲げて立設したものが知られている。
例えば、特許文献１には、首掛け用孔の内側に形成した貼着片部を上方に折り曲げ、貼着片部にそれよりも大きいラベルを貼着した首掛け表示体が記載されている。
また、特許文献２には、シート状物にコの字形状または湾曲形状の切り込みを入れ、切り込みの両端を結ぶ線上に折り目を形成し、前記切り込みと折り目とで囲まれてなる表示片を上方に折り曲げてなる首掛け表示体が記載されている。
また、特許文献３には、襟巻き片（首掛け部）の外縁から表示片を上方に折り曲げ、表示片の基端部を支えて背面側へ傾倒するのを防止する支え片を設けた首掛け表示体が記載されている。
【特許文献１】特開２０００−２５８３２号公報
【特許文献２】特開２００１−１６６６９１号公報
【特許文献３】特開２００２−３４７８４１号公報
【発明の開示】
【発明が解決しようとする課題】
【０００４】
しかしながら、従来の首掛け表示体の場合、首掛け部の上方に設けた表示片が輸送途中や店頭に陳列するとき、あるいは店頭陳列後の取り扱いによって破損することがある。
特許文献３では、展開状態において表示片は襟巻き片の外側に位置するので、表示片の基端部の折り目を伸ばすと表示片は外側に倒れることになる。従って、支え片を単に当接させるだけでは表示片が外側に倒れることを防止できない。該特許文献３の図７には、表示片の外側への傾倒をも支えるために、表示片に入れた切れ込みに支え片を差し込む構成も記載されているが、この構成では組み立て手順が複雑になる上、支え片の先端が切れ込みを通して表示片の前面側に飛び出すことになり、外観が良くない。
【０００５】
本発明は、上記事情に鑑みてなされたものであり、首掛け部に設けた表示片が破損しにくく、表示の効果に優れる首掛け表示体を提供することを課題とする。
【課題を解決するための手段】
【０００６】
前記課題を解決するため、本発明の請求項１に記載の発明は、容器の首部に通す首掛け用孔を有する首掛け部と、前記首掛け用孔の周縁に臨んで位置する基部から突出した表示片とを備えた首掛け表示体であって、前記首掛け部は１枚のシートまたは複数枚のシートの積層体からなり、前記表示片は前記首掛け用孔を通して前記首掛け部から引き出されており、少なくとも１枚のシートが前記表示片を引き出した側から前記表示片の基部に重ねられていることを特徴とする首掛け表示体である。
請求項２に記載の発明は、前記首掛け部が複数枚のシートの積層体からなり、前記表示片の基部は前記首掛け部のいずれかのシートに設けられており、前記表示片は前記基部を有するシートの首掛け用孔の内部に形成されていることを特徴とする請求項１に記載の首掛け表示体である。
請求項３に記載の発明は、前記首掛け部が二つ折りに折り重ねられた表裏２枚のシートからなり、前記表示片は、前記首掛け部の一方のシートの首掛け用孔の内部に形成されるとともに、前記一方のシートから折り曲げられ、他方のシートの首掛け用孔に挿通されて前記一方のシートの反対側に引き出されていることを特徴とする請求項１または２に記載の首掛け表示体である。
請求項４に記載の発明は、前記首掛け表示体が首掛け部から延設された延長部を備え、前記延長部は前記首掛け部から折り曲げられて首掛け表示体が装着される容器の胴部側に垂下自在とされていることを特徴とする請求項１ないし３のいずれかに記載の首掛け表示体である。
請求項５に記載の発明は、前記延長部が折り重ねられた複数枚のシートからなることを特徴とする請求項４に記載の首掛け表示体である。
請求項６に記載の発明は、前記延長部が二つ折りに折り重ねられた表裏２枚のシートからなり、前記表裏２枚のシートの間に中間シートが介装され、前記表裏２枚のシートと前記中間シートとが同じ側の辺で綴じ合わされて冊子の形態をとっていることを特徴とする請求項５に記載の首掛け表示体である。
【発明の効果】
【０００７】
本発明の首掛け表示体によれば、少なくとも１枚のシートが表示片を引き出した側から表示片の基部に重ねられているので、表示片に引張りなどの外力が加えられたとき、表示片と基部とを区画する区画線（折り目）の両端から破れ目が伸長しにくく、表示片の破損を防止することができる。表示片は首掛け用孔の内側に挿通されているので、首掛け部の外側へ倒れにくく、表示片の表示が常に見やすい状態に保たれ、外観が良い。
【発明を実施するための最良の形態】
【０００８】
以下、最良の形態に基づき、図面を参照して本発明を説明する。
図１は、本発明の首掛け表示体の第１形態例を示す図面であり、図１（ａ）は展開図、図１（ｂ）は斜視図、図１（ｃ）は図１（ｂ）のＩｃ−Ｉｃ線に沿う断面図、図１（ｄ）は図１（ｃ）のＩｄ部の部分拡大図である。
図１に示すように、本形態例の首掛け表示体１０は、首掛け部１１を有する本体部材１２と、本体部材１２の間に介装される中間部材１３と、中間部材１３を本体部材１２に留めて固定する固定部材１４からなる。本体部材１２および中間部材１３は、紙やプラスチックフィルム、積層フィルムなどのシート状物によって構成される。固定部材１４は金属製のステープル（コ字状のつづり針）である。
【０００９】
図１（ａ）に示す展開図において、首掛け部１１は、本体部材１２の上部に設けられている。この首掛け部１１は、本体部材１２の縦方向に延在する第１の区画線１１ａを介して区画された表面シート１１ｂおよび裏面シート１１ｃを有する。表面シート１１ｂと裏面シート１１ｃとの両方には、第１の区画線１１ａを中心として対称な位置に周縁１５ａを有する首掛け用孔１５が形成されている。この首掛け用孔１５は、首掛け表示体１０を容器１に装着する際、該容器１の首部２に通されるものである。
首掛け用孔１５の平面形状は、特に限定されるものではなく、円形、楕円形、三角形、台形や矩形等の四角形、その他の多角形など、種々の形状にすることが可能である。
【００１０】
裏面シート１１ｃの首掛け用孔１５の内部には、該首掛け用孔１５の周縁１５ａに臨んで位置する基部１６から突出した表示片１７が形成されている。
表示片１７は本体部材１２の一部であり、表示片１７と基部１６との間は、首掛け用孔１５の周縁１５ａ上に位置する二点１７ｂ，１７ｃを両端とする区画線１７ａ（第２の区画線１７ａ）によって区画されている。本形態例の場合、表示片１７の基部１６は首掛け部１１の裏面シート１１ｃに設けられている。
表面シート１１ｂの首掛け用孔１５の周縁１５ａのうち、区画線１７ａと重なり合う部分１５ｂは直線状の辺となっている。表面シート１１ｂと裏面シート１１ｃとを折り重ねたとき、前記辺１５ｂは前記区画線１７ａと重なり合い、表示片１７を首掛け部１１から折り曲げたときには、図１（ｄ）に示すように、表示片１７は前記辺１５ｂに受け入れられる。
【００１１】
表示片１７の平面形状は、首掛け用孔１５の平面形状に内包される範囲内に収められている。表示片１７の平面形状は、特に限定されるものではなく、円形、楕円形、三角形、台形や矩形等の四角形、その他の多角形など、種々の形状にすることが可能である。
裏面シート１１ｃの首掛け用孔１５の形状は、図１（ａ）に示すように展開状態では、首掛け用孔１５の周縁１５ａと表示片１７の周縁とで囲まれる三日月状の形状であるが、第２の区画線１７ａによって表示片１７を基部１６から折り曲げると、表面シート１１ｂの首掛け用孔１５と同様に、ほぼ円形状となる。
【００１２】
本体部材１２の下部には、首掛け部１１の第１の区画線１１ａとは異なる辺１８から延設した延長部１９が設けられている。前記辺１８は、本体部材１２の横方向に延在し、延長部１９と首掛け部１１との間を区画する区画線（第３の区画線）となっている。延長部１９は、本体部材１２の縦方向に延在する第４の区画線１９ａを介して区画された表面シート１９ｂおよび裏面シート１９ｃを有する。
延長部１９の中央の区画線１９ａは、首掛け部１１の中央の区画線１１ａと同一線上に位置する。また、首掛け部１１と延長部１９との間を区画する区画線１８は、延長部１９の中央の区画線１９ａおよび首掛け部１１の中央の区画線１１ａと直交している。
【００１３】
中間部材１３は、区画線１３ａ（第５の区画線）を介して区画された２枚のシート１３ｂ，１３ｃを有する。この中間部材１３を本体部材１２に介装するには、中間部材１３の中央の区画線１３ａと延長部１９の中央の区画線１９ａとを重ね合わせ、これら区画線１３ａ，１９ａの上に打ち込んだ固定部材１４により、中間部材１３を本体部材１２に固定する。このように、延長部１９の表面シート１９ｂおよび裏面シート１９ｃと、中間シート１３ｂ，１３ｃとを同じ側の辺１３ａ，１９ａで綴じ合わせることにより、小冊子の形態とすることができる。
本体部材１２および中間部材１３において、区画線１１ａ，１３ａ，１７ａ，１８，１９ａの構成は特に限定されるものではなく、それぞれ、罫線、切取線、折り目、シートの両面間を貫通する断続状のミシン目、ハーフカット線などから適宜選択して採用することができる。
【００１４】
図１（ａ）に示す展開状態の首掛け表示体１０を図１（ｂ），（ｃ）に示すように組み立てる手順の一例について説明する。
まず、中間部材１３と延長部１９とを重ね合わせ、固定部材１４により中間部材１３を延長部１９に留める。
次に、縦方向の区画線１１ａ，１３ａ，１９ａを折り曲げて、首掛け部１１の表面シート１１ｂを裏面シート１１ｃの上に、また、延長部１９の表面シート１９ｂおよび中間部材１３の第１のシート１３ｂを延長部１９の裏面シート１９ｃおよび中間部材１３の第２のシート１３ｃの上に、それぞれ重ね合わせる。
次に、横方向の区画線１８を折り曲げて首掛け部１１を延長部１９に対して屈曲させるとともに、首掛け部１１の裏面シート１１ｃから形成された表示片１７を第２の区画線１７ａにより基部１６から折り曲げ、表面シート１１ｂの首掛け用孔１５に通して首掛け部１１の上方に引き出す。
以上のようにして、図１（ｂ），（ｃ）に示す首掛け表示体１０を簡単に組み立てることができる。
【００１５】
図２（ａ）に示すように、首掛け用孔１５を容器１の首部２に通して首掛け表示体１０を容器１に装着すると、表示片１７は容器１の首部２に沿って上向きに立ち上がり、延長部１９は容器１の胴部３側に垂下される。延長部１９を容器１の前面側に配置したとき、表示片１７は、容器１の後面側に配置されるので、広告宣伝や情報等の表示を容器１の両面に配することができ、人々の関心を集める効果が高い。
【００１６】
本形態例の首掛け表示体１０によれば、表示片１７が首掛け部１１の裏面シート１１ｃの基部１６から突出しており、前記基部１６の上に首掛け部１１の表面シート１１ｂが積層される。すなわち、表面シート１１ｂが表示片１７を引き出した側（首掛け表示体１０の表側；図１（ｄ）の上側）から表示片１７の基部１６に重ね合わされているので、表示片１７に引張りなどの外力が加えられたとき、表示片１７と基部１６との間を区画する区画線１７ａの両端１７ｂ，１７ｃから破れ目が伸長しにくく、表示片１７の破損を防止することができる。
表示片１７が首掛け用孔１５の内側に挿通されているので、区画線１７ａ上の折り目を伸ばしても表示片１７は容器１の首部２側に倒れることになり、表示片１７が過度に倒れないように容器１の首部２によって支えることができる。従って表示片１７は首掛け部１１の外側へ倒れにくくなり、表示片１７の表示が常に見やすい状態に保たれる。
【００１７】
表面シート１１ｂ，１９ｂと裏面シート１１ｃ，１９ｃとの間が本体部材１２の中央の区画線１１ａ，１９ａを介してつながっているので、首掛け表示体１０を容器１に装着した状態では、表面シート１１ｂ，１９ｂと裏面シート１１ｃ，１９ｃとの間を開こうとしても首掛け部１１側の回転軸線（区画線１１ａ）と延長部１９側の回転軸線（区画線１９ａ）とが直交しているから間が開くことがなく、堅牢な構造となる。
延長部１９の２枚のシート１９ｂ，１９ｃの間に中間部材１３の中間シート１３ｂ，１３ｃが介装され、これらが同じ側の辺で綴じ合わされているので、図２（ｂ）に示すように、首掛け表示体１０を容器１から取り外すと小冊子の形態となり、より多くの情報を記載することができる。
首掛け部１１と延長部１９との間が本体部材１２の横方向の区画線１８を介して表裏の両方でつながっているので、図２（ａ）に示すように、首掛け表示体１０を容器１に装着した状態では延長部１９に形成した小冊子が不用意に開くことはなく、延長部１９の表面シート１９ｂの表面（小冊子の表紙となる面）が表示された状態を保つことができる。
【００１８】
次に、本発明の首掛け表示体の第２形態例について図３を参照しながら説明する。図３において、図１，図２に示す構成と同一または同様の構成には、同一の符号を付し、重複する説明を省略することがある。
なお、図３（ａ）は展開図、図３（ｂ）は斜視図、図３（ｃ）は図３（ｂ）のＩＩＩｃ−ＩＩＩｃ線に沿う断面図、図３（ｄ）は図３（ｃ）のＩＩＩｄ部の部分拡大図、図３（ｅ）は図３（ｃ）のＩＩＩｅ部の部分拡大図である。
【００１９】
図３に示す首掛け表示体１０Ａは、首掛け部１１を有する本体部材１２と、本体部材１２の間に介装される中間部材１３と、中間部材１３を本体部材１２に留めて固定する固定部材１４からなる。本体部材１２および中間部材１３は、紙やプラスチックフィルム、積層フィルムなどのシート状物によって構成される。固定部材１４は金属製のステープルである。
【００２０】
第２形態例の首掛け表示体１０Ａの場合、第１の表示片１７は、表面シート１１ｂの首掛け用孔１５の内部に形成され、該首掛け用孔１５の周縁１５ａに位置する基部１６から突出している。第１の表示片１７の基部１６は、首掛け部１１の表面シート１１ｂに設けられている。第１の表示片１７は本体部材１２の一部であり、該表示片１７と基部１６とは、首掛け用孔１５の周縁１５ａ上に位置する二点１７ｂ，１７ｃを両端とする区画線１７ａ（第２の区画線１７ａ）によって区画されている。
第１の表示片１７は、図３（ｂ）、（ｄ）に示すように首掛け表示体１０Ａを組み立てた状態では、表示片１７と基部１６との間を区画する区画線１７ａにより基部１６から折り曲げて、裏面シート１１ｃの首掛け用孔１５に通して首掛け部１１の下方に引き出される。
【００２１】
また、第２の表示片２０は、裏面シート１１ｃの首掛け用孔１５の内部に形成され、該首掛け用孔１５の周縁１５ａに位置する基部２１から突出している。第２の表示片２０の基部２１は、延長部１９の裏面シート１１ｃに設けられている。第２の表示片２０は本体部材１２の一部であり、該表示片２０と基部２１とは、首掛け用孔１５の周縁１５ａ上に位置する二点２０ｂ，２０ｃを両端とする区画線２０ａ（第６の区画線２０ａ）によって区画されている。
第２の表示片２０は、図３（ｂ），（ｅ）に示すように首掛け表示体１０Ａを組み立てた状態では、表示片２０と基部２１との間を区画する区画線２０ａは伸ばされており、延長部１９を本体部材１２の横方向の区画線１８で首掛け部１１から折り曲げることにより、首掛け部１１の表面シート１１ｂの首掛け用孔１５に通して首掛け部１１の上方に引き出される。
【００２２】
首掛け部１１の表面シート１１ｂの首掛け用孔１５の形状は、図３（ａ）に示すように展開状態では、該首掛け用孔１５の周縁１５ａと第１の表示片１７の周縁とで囲まれる三日月状の形状であるが、図３（ｃ）に示すように、区画線１７ａによって表示片１７を基部１６から折り曲げると、ほぼ円形状となる。
首掛け部１１の裏面シート１１ｃの首掛け用孔１５の形状は、図３（ａ）に示すように展開状態では、該首掛け用孔１５の周縁１５ａと第２の表示片２０の周縁とで囲まれる三日月状の形状であるが、図３（ｃ）に示すように、区画線１８によって延長部１９を首掛け部１１から折り曲げると、ほぼ円形状となる。
【００２３】
図３（ａ）に示す展開状態の首掛け表示体１０Ａを図３（ｂ），（ｃ）に示すように組み立てる手順の一例について説明する。
まず、中間部材１３と延長部１９とを重ね合わせ、固定部材１４により中間部材１３を延長部１９に留める。
次に、縦方向の区画線１１ａ，１３ａ，１９ａを折り曲げて、首掛け部１１の表面シート１１ｂを裏面シート１１ｃの上に、また、延長部１９の表面シート１９ｂおよび中間部材１３の第１のシート１３ｂを延長部１９の裏面シート１９ｃおよび中間部材１３の第２のシート１３ｃの上に、それぞれ重ね合わせる。
次いで、第１の表示片１７を区画線１７ａにより基部１６から折り曲げ、首掛け部１１の裏面シート１１ｃの首掛け用孔１５に通して首掛け部１１の下方に引き出すとともに、横方向の区画線１８を折り曲げて、首掛け部１１を延長部１９に対して屈曲させ、第２の表示片２０を首掛け部１１の表面シート１１ｂの首掛け用孔１５に通して首掛け部１１の上方に引き出す。
以上のようにして、図３（ｂ），（ｃ）に示す首掛け表示体１０Ａを簡単に組み立てることができる。
【００２４】
図３（ｃ）に示すように、首掛け用孔１５を容器１の首部２に通して首掛け表示体１０Ａを容器１に装着すると、第１の表示片１７は容器１の胴部３に沿って下向きに垂れ下がるとともに、第２の表示片２０は容器１の首部２に沿って上向きに立ち上がり、延長部１９は容器１の胴部３側に垂下される。延長部１９を容器１の前面側に配置したとき、第１の表示片１７は容器１の後面側に配置され、第２の表示片２０は容器１の前面側において延長部１９の上方に配置される。このようにして広告宣伝や情報等の表示を容器１の両面に配することができ、人々の関心を集める効果が高い。
なお、この首掛け表示体１０Ａの変形例として、２つの表示片１７，２０のうち一方を省略して表示片の数を１つとし、容器１の後面側に垂れ下がる表示片１７を備える首掛け表示体、あるいは延長部１９の上方に立設された表示片２０を備える首掛け表示体を構成することもできる。
【００２５】
本形態例の首掛け表示体１０Ａによれば、第１の表示片１７は首掛け部１１の表面シート１１ｂに設けられた基部１６から突出しており、前記基部１６の下に首掛け部１１の裏面シート１１ｃが積層される。すなわち、首掛け部１１の裏面シート１１ｃが第１の表示片１７を引き出した側（首掛け表示体１０Ａの裏側；図３（ｄ）の下側）から第１の表示片１７の基部１６に重ね合わされているので、第１の表示片１７に引張りなどの外力が加えられたとき、第１の表示片１７と基部１６との間を区画する区画線１７ａの両端１７ｂ，１７ｃから破れ目が伸長しにくく、表示片１７の破損を防止することができる。
【００２６】
同様に、第２の表示片２０は延長部１９の裏面シート１９ｃに設けられた基部２１から突出しており、前記基部２１の上に中間シート１３ｂ，１３ｃおよび延長部１９の表面シート１９ｂが積層される。すなわち、これらのシート１３ｂ，１３ｃ，１９ｂが第２の表示片２０を引き出した側（首掛け表示体１０Ａの表側）から第２の表示片２０の基部２１に重ね合わされているので、表示片２０に引張りなどの外力が加えられたとき、表示片２０と基部２１との間を区画する区画線２０ａの両端２０ｂ，２０ｃから破れ目が伸長しにくく、表示片２０の破損を防止することができる。
【００２７】
次に、本発明の首掛け表示体の第３形態例について図４を参照しながら説明する。図４において、図１，図２に示す構成と同一または同様の構成には、同一の符号を付し、重複する説明を省略することがある。
なお、図４（ａ）は展開図、図４（ｂ）は斜視図、図４（ｃ）は図４（ｂ）のＩＶｃ−ＩＶｃ線に沿う断面図、図４（ｄ）は図４（ｃ）のＩＶｄ部の部分拡大図である。
図４（ｃ），（ｄ）に示すように、本形態例の首掛け表示体１０Ｂの表示片１７は、第１形態例の首掛け表示体１０の表示片１７と同様に構成されており、首掛け用孔１５を容器１の首部２に通して首掛け表示体１０Ｂを容器１に装着した状態では、表示片１７は容器１の首部２に沿って上向きに立ち上がり、延長部１９は容器１の胴部３側に垂下されるようになっている。延長部１９を容器１の前面側に配置したとき、表示片１７は、容器１の後面側に配置されるので、広告宣伝や情報等の表示を容器１の両面に配することができ、人々の関心を集める効果が高い。
【００２８】
この第３形態例に係る首掛け表示体１０Ｂの場合、図４（ａ）に示すように本体部材１２において、首掛け部１１の表面シート１１ｂと延長部１９の表面シート１９ｂとの間にスリット状の切れ目２２が設けられている。このため、図４（ｂ），（ｃ）に示すように、首掛け表示体１０Ｂを容器１に装着したまま、延長部１９の裏面シート１９ｃに対して中間シート１３ｂ，１３ｃおよび延長部１９の表面シート１９ｂを手前側に開き、延長部１９に形成した小冊子を読むことができる。
【００２９】
次に、本発明の首掛け表示体の第４形態例について図５を参照しながら説明する。図５において、図１，図２に示す構成と同一または同様の構成には、同一の符号を付し、重複する説明を省略することがある。
なお、図５（ａ）は展開図、図５（ｂ）は斜視図、図５（ｃ）は図５（ｂ）のＶｃ−Ｖｃ線に沿う断面図、図５（ｄ）は図５（ｃ）のＶｄ部の部分拡大図である。
【００３０】
図５に示すように、本形態例の首掛け表示体１０Ｃは、首掛け部１１を有する本体部材１２と、本体部材１２の間に介装される中間部材１３と、中間部材１３を本体部材１２に留めて固定する固定部材１４からなる。本体部材１２および中間部材１３は、紙やプラスチックフィルム、積層フィルムなどのシート状物によって構成される。固定部材１４は金属製のステープルである。
【００３１】
図５（ａ）に示す展開図において、首掛け部１１は、本体部材１２の上部に設けられている。この首掛け部１１は１枚のシート１１ｃからなり、このシート１１ｃに首掛け用孔１５が形成されている。この首掛け用孔１５は、首掛け表示体１０Ｃを容器１に装着する際、該容器１の首部２に通されるものである。
首掛け用孔１５の平面形状は、特に限定されるものではなく、円形、楕円形、三角形、台形や矩形等の四角形、その他の多角形など、種々の形状にすることが可能である。
【００３２】
首掛け部１１の周縁部から連結片２３が突出しており、この連結片２３と首掛け部１１との間は区画線２４によって区画されている。連結片２３は、表示片１７の基部１６となる部分であり、表示片１７と連結片２３との間は区画線１７ａ（第２の区画線１７ａ）によって区画されている。
首掛け用孔１５の周縁１５ａ中、区画線２４に対して区画線１７ａと対称な位置に、シート１１ｃと連結片２３とを折り重ねたとき区画線１７ａと重なり合う直線状の辺１５ｂが形成されている。
図５（ｄ）に示すように、区画線１７ａ，２４を巻き込むようにして折り曲げると、区画線１７ａは首掛け用孔１５の周縁１５ａ上の辺１５ｂと重なり合い、表示片１７は首掛け用孔１５に挿通されて前記辺１５ｂに受け入れられる。
【００３３】
表示片１７の最大幅（区画線１７ａと平行な寸法の最大値）は、区画線１７ａの長さよりも長くなっており、区画線１７ａの両端１７ｂ，１７ｃは、鋭角（Ｖ字状）の切れ込みになっている。このため、表示片１７の区画線１７ａと首掛け用孔１５の周縁１５ａ上の辺１５ｂとを重ね合わせると、該辺１５ｂの両端部において首掛け部１１のシート１１ｃが区画線１７ａの両端１７ｂ，１７ｃの切れ込みの中に挟み込まれ、連結片２３が首掛け部１１に係止される。これにより、連結片２３と首掛け部１１のシート１１ｃとが重なり合った状態を保つことができ、表示片１７が首掛け部１１から落ち込むことがない。
【００３４】
表示片１７の平面形状は、首掛け用孔１５の平面形状に内包される範囲内に収めてもよいし、表示片１７が首掛け用孔１５に挿通できる限りは、表示片１７の平面形状を首掛け用孔１５の平面形状より広くすることもできる。可とう性を有する材料によって本体部材１２を形成すれば、必要に応じて表示片１７をその幅方向に丸める等することによって、首掛け用孔１５に挿通することが可能である。
表示片１７の平面形状は、特に限定されるものではなく、円形、楕円形、三角形、台形や矩形等の四角形、その他の多角形など、種々の形状にすることが可能である。
【００３５】
本体部材１２の下部には、首掛け部１１の前記区画線２４とは異なる辺１８から延長部１９が延設されている。前記辺１８は、首掛け部１１のシート１１ｃと延長部１９の裏面シート１９ｃとの間を区画するものであり、延長部１９を首掛け部１１から折り曲げるための折り目として利用することができる。延長部１９は、その中央の区画線１９ａを折り曲げることにより、表面シート１９ｂと裏面シート１９ｃとを重ね合わせることができる。
中間部材１３は、その中央の区画線１３ａを介して区画された２枚のシート１３ｂ，１３ｃを有する。この中間部材１３を本体部材１２に介装するには、中間部材１３の中央の区画線１３ａと延長部１９の中央の区画線１９ａとを重ね合わせ、これら区画線１３ａ，１９ａの上に打ち込んだ固定部材１４により、中間部材１３を本体部材１２に固定する。
【００３６】
図５（ａ）に示す展開状態の首掛け表示体１０Ｃを図５（ｂ），（ｃ）に示すように組み立てる手順の一例について説明する。
まず、中間部材１３と延長部１９とを重ね合わせ、固定部材１４により中間部材１３を延長部１９に留める。
次に、縦方向の区画線１３ａ，１９ａを折り曲げて、延長部１９の表面シート１９ｂおよび中間部材１３の第１のシート１３ｂを延長部１９の裏面シート１９ｃおよび中間部材１３の第２のシート１３ｃの上に重ね合わせる。
また、区画線１７ａ，２４を巻き込むようにして折り曲げ、連結片２３と首掛け部１１のシート１１ｃとを重ね合わせるとともに、表示片１７を首掛け用孔１５に通して首掛け部１１の上方に引き出す。
以上のようにして、図５（ｂ），（ｃ）に示す首掛け表示体１０Ｃを簡単に組み立てることができる。
なお、連結片２３をシート１１ｃの下に重ね合わせる代わりに、区画線１７ａ，２４を折り曲げる向きを図５（ｄ）の逆にして連結片２３をシート１１ｃの上に重ね合わせると、首掛け用孔１５に通した表示片１７を首掛け部１１の下方に引き出すことができる。
【００３７】
図５（ｃ）に示すように、首掛け用孔１５を容器１の首部２に通して首掛け表示体１０Ｃを容器１に装着すると、表示片１７は容器１の首部２に沿って上向きに立ち上がり、延長部１９は容器１の胴部３側に垂下される。延長部１９を容器１の前面側に配置したとき、表示片１７は、容器１の後面側に配置されるので、広告宣伝や情報等の表示を容器１の両面に配することができ、人々の関心を集める効果が高い。
【００３８】
本形態例の首掛け表示体１０Ｃによれば、表示片１７が連結片２３の基部１６から突出しており、前記基部１６の上に首掛け部１１のシート１１ｃが積層される。すなわち、シート１１ｃが表示片１７を引き出した側（首掛け表示体１０Ｃの表側；図５（ｄ）の上側）から表示片１７の基部１６に重ね合わされているので、表示片１７に引張りなどの外力が加えられたとき、表示片１７と基部１６との間を区画する区画線１７ａの両端１７ｂ，１７ｃから破れ目が伸長しにくく、表示片１７の破損を防止することができる。
表示片１７が首掛け用孔１５の内側に挿通されているので、区画線１７ａ上の折り目を伸ばしても表示片１７は容器１の首部２側に倒れることになり、表示片１７が過度に倒れないように容器１の首部２によって支えることができる。従って表示片１７は首掛け部１１の外側へ倒れにくくなり、表示片１７の表示が常に見やすい状態に保たれる。
【００３９】
以上、本発明を好適な実施の形態に基づいて説明してきたが、本発明は上述の形態例に限定されるものではなく、本発明の要旨を逸脱しない範囲で種々の改変が可能である。
上記各形態例の場合、延長部１９の２枚のシート１９ｂ，１９ｃの間に中間部材１３を介装して小冊子を構成していたが、特にこれに限定されるものではなく、中間部材を省略したり、延長部を一枚のシートで構成したり、延長部を省略したりするなど、種々の構成が採用可能である。
中間部材の枚数は１枚に限定されるものではなく、複数枚としてもよい。
首掛け部等において複数枚のシートを重ね合わせた箇所は、必要に応じて接着剤で糊付けすること等により補強してもよい。
【００４０】
首掛け部が３枚以上のシートの積層体からなり、表示片の基部が首掛け部のいずれかのシートに設けられており、表示片が基部を有するシートの首掛け用孔の内部に形成されている場合、首掛け部の他のシートが表示片の基部の両面に重ね合わされた構成とすることもできる。このような構成であれば、表示片を首掛け部の表側および裏側のいずれに引き出したとしても、首掛け部の少なくとも１枚のシートが表示片を引き出した側から表示片の基部に重ね合わされることになり、表示片の破断を抑制することができる。
【００４１】
また、上記各形態例の場合、首掛け部１１と延長部１９とを一枚の本体部材１２によって形成していたが、複数枚のシート状物を糊などを用いて貼り合わせる等して一体化し、本体部材を構成してもよい。
また、表示片を首掛け部とは別体のシートによって構成し、首掛け部の片面に貼り合わせる構成などでもよい。
【産業上の利用可能性】
【００４２】
本発明の首掛け表示体は、種々の製品の包装に用いられる容器、例えばボトルやスプレー缶などに装着して、広告宣伝や関連情報の表示、景品等添付用の台紙等に利用することができる。
ボトル等の容器に充填される内容物としては、液体、粉体、顆粒体、粘稠体、気体等、特に限定されるものではなく、例えば、液体洗剤、シャンプー、リンス、飲料品などの各種製品が挙げられる。
【図面の簡単な説明】
【００４３】
【図１】本発明の首掛け表示体の第１形態例を示す図面であり、（ａ）は展開図、（ｂ）は斜視図、（ｃ）は（ｂ）のＩｃ−Ｉｃ線に沿う断面図、（ｄ）は（ｃ）のＩｄ部の部分拡大図である。
【図２】（ａ）第１形態例の首掛け表示体を容器に装着した状態を示す斜視図である。（ｂ）第１形態例の首掛け表示体を容器からはずして開いた状態を示す斜視図である。
【図３】本発明の首掛け表示体の第２形態例を示す図面であり、（ａ）は展開図、（ｂ）は斜視図、（ｃ）は（ｂ）のＩＩＩｃ−ＩＩＩｃ線に沿う断面図、（ｄ）は（ｃ）のＩＩＩｄ部の部分拡大図、（ｅ）は（ｃ）のＩＩＩｅ部の部分拡大図である。
【図４】本発明の首掛け表示体の第３形態例を示す図面であり、（ａ）は展開図、（ｂ）は斜視図、（ｃ）は（ｂ）のＩＶｃ−ＩＶｃ線に沿う断面図、（ｄ）は（ｃ）のＩＶｄ部の部分拡大図である。
【図５】本発明の首掛け表示体の第４形態例を示す図面であり、（ａ）は展開図、（ｂ）は斜視図、（ｃ）は（ｂ）のＶｃ−Ｖｃ線に沿う断面図、（ｄ）は（ｃ）のＶｄ部の部分拡大図である。
【符号の説明】
【００４４】
１…容器、２…首部、３…胴部、１０，１０Ａ，１０Ｂ，１０Ｃ…首掛け表示体、１１…首掛け部、１１ｂ，１１ｃ…首掛け部のシート、１３ｂ，１３ｃ…中間シート、１５…首掛け用孔、１５ａ…首掛け用孔の周縁、１６…基部、１７…表示片、１９…延長部、１９ｂ，１９ｃ…延長部のシート、２０…第２の表示片、２１…基部。
【図１】
2006215446.tif 000003
【図２】
2006215446.tif 000004
【図３】
2006215446.tif 000005
【図４】
2006215446.tif 000006
【図５】
2006215446.tif 000007